(57)【要約】【課題】ピアノ線巻層が内筒冷却用の冷却水に浸される構造の線巻式圧力容器において、水素脆化や腐食に起因するピアノ線巻層を形成するピアノ線の寿命低下を抑制することにより、従来に比べて容器全体の大型化や重量化を招くことなく疲労寿命の延長を図ることができる線巻式圧力容器を提供することにある。【解決手段】  内筒１との間に内筒外周面に沿って内筒軸線方向に延びる複数の冷却水通路３が形成された状態で円筒１の外側に該円筒１と同軸心状に設けられ、内筒１に圧縮応力を付与すべく、張力が付与されたピアノ線を巻き付けてなるピアノ線巻層４とを備え、内筒１の開口が蓋部材で密閉されて、被処理物を高温高圧処理するための線巻式圧力容器において、ピアノ線巻層４における複数のピアノ線繋ぎ合わせ部において一方のピアノ線の終端と他方のピアノ線の始端とを、水素吸蔵合金からなる継手部を介して溶接にて繋ぎ合わせてある。【選択図】図２
2009257553.tif 000002
【特許請求の範囲】
【請求項１】
被処理物が収容される円筒状の内筒と、該内筒との間に内筒外周面に沿って内筒軸線方向に延びる複数の冷却水通路が形成された状態で前記円筒の外側に該円筒と同軸心状に設けられ、前記内筒に圧縮応力を付与すべく、張力が付与されたピアノ線を巻き付けてなるピアノ線巻層とを備え、前記内筒の開口が蓋部材で密閉されて、被処理物を高温高圧処理するための線巻式圧力容器において、
前記ピアノ線巻層に複数のピアノ線繋ぎ合わせ部が設けられており、該ピアノ線繋ぎ合わせ部において一方のピアノ線の終端と他方のピアノ線の始端とが、水素吸蔵合金からなる継手部を介して溶接にて繋ぎ合わされていることを特徴とする線巻式圧力容器。
【請求項２】
被処理物が収容される円筒状の内筒と、該内筒との間に内筒外周面に沿って内筒軸線方向に延びる複数の冷却水通路が形成された状態で前記円筒の外側に該円筒と同軸心状に設けられ、前記内筒に圧縮応力を付与すべく、張力が付与されたピアノ線を巻き付けてなるピアノ線巻層とを備え、前記内筒の開口が蓋部材で密閉されて、被処理物を高温高圧処理するための線巻式圧力容器において、
前記ピアノ線巻層に複数のピアノ線繋ぎ合わせ部が設けられており、該ピアノ線繋ぎ合わせ部において一方のピアノ線の終端と他方のピアノ線の始端とが、当該ピアノ線よりイオン化傾向の大きい金属材料からなる継手部を介して溶接にて繋ぎ合わされていることを特徴とする線巻式圧力容器。
【請求項３】
被処理物が収容される円筒状の内筒と、該内筒との間に内筒外周面に沿って内筒軸線方向に延びる複数の冷却水通路が形成された状態で前記円筒の外側に該円筒と同軸心状に設けられ、前記内筒に圧縮応力を付与すべく、張力が付与されたピアノ線を巻き付けてなるピアノ線巻層とを備え、前記内筒の開口が蓋部材で密閉されて、被処理物を高温高圧処理するための線巻式圧力容器において、
前記ピアノ線巻層に複数のピアノ線繋ぎ合わせ部が設けられており、該ピアノ線繋ぎ合わせ部において一方のピアノ線の終端と他方のピアノ線の始端とが、水素吸蔵合金からなる継手部と当該ピアノ線よりイオン化傾向の大きい金属材料からなる継手部とを直列に接続したものを介して溶接にて繋ぎ合わされていることを特徴とする線巻式圧力容器。
【発明の詳細な説明】
【技術分野】
【０００１】
本発明は、熱間等方圧加圧装置用に用いられて、被処理物を高温高圧処理するための線巻式圧力容器に関し、被処理物が収容される円筒状の内筒の外側周り設けられるピアノ線巻層が内筒冷却用の冷却水に浸される構造の線巻式圧力容器において、従来に比べて容器全体の大型化や大重量化を招くことなく疲労寿命の延長を図ることができるようにした、線巻式圧力容器に関するものである。
【背景技術】
【０００２】
熱間等方圧加圧装置は、アルゴンなどの不活性ガスを圧力媒体とし、通常９８ＭＰａ以上の高い等方圧力と１０００℃以上の温度との相乗効果を利用して、被処理物を高温高圧処理する装置であり、粉末材料の加圧焼結を行う超硬合金、セラミックス、スーパーアロイなどの分野では不可欠なものとなっている。熱間等方圧加圧装置は、高圧ガスを閉じ込めるための圧力容器（内部に被処理物、加熱装置及び断熱層が配設される）と、上下の開口部を密閉する上蓋及び下蓋と、これらの上蓋と下蓋に作用する軸力を支えるプレス枠とにより構成されている。
【０００３】
この熱間等方圧加圧装置の前記圧力容器として、線巻式圧力容器が知られている（例えば、特公昭５６−８７１８号公報）。線巻式圧力容器は、被処理物が収容される円筒状の内筒と、該内筒との間に内筒外周面に沿って内筒軸線方向に延びる複数の冷却水通路が形成された状態で前記円筒の外側に該円筒と同軸心状に設けられ、前記内筒に圧縮応力を付与すべく、張力が付与されたピアノ線を巻き付けてなるピアノ線巻層とを備えている。
【０００４】
この線巻式圧力容器は、その内部に高圧がかかることから、内筒の外側周りに張力が付与されたピアノ線を巻き付けてなるピアノ線巻層を設け、内筒に対してこれを圧縮する方向に予め応力を付与することにより、疲労強度の上昇を図り、圧力容器としての疲労寿命を延ばすことができるようにしたものである。線巻式圧力容器は、ピアノ線巻層を有しない単肉式圧力容器に比べてその外径寸法が小さくてすみ、ひいては熱間等方圧加圧装置全体寸法を小さくできるものである。
【０００５】
そして、前記内筒の内部には、被処理物を加熱する加熱装置（ヒーター）が配設され、この加熱装置を取り囲むように逆コップ状（倒立コップ状）の断熱層が配設されるようになっているものの、昇温時及び高温保持時には内筒の過熱防止のため、内筒に水冷を施すことが必要である。このため、線巻式圧力容器は、内筒過熱防止用の前記冷却水通路を備えている。
【特許文献１】特公昭５６−８７１８号公報（第４図）
【発明の開示】
【発明が解決しようとする課題】
【０００６】
前述した従来の線巻式圧力容器は、内筒冷却用の冷却水通路に供給される冷却水にピアノ線巻層が浸される構造となっている。鋼製材料が水に浸された場合、種々の意味で強度劣化が生じることは周知の通りであり、これを抑えるため、線巻式圧力容器では、冷却水への防錆剤の添加、あるいは不活性ガスの吹き込みを行うことで、腐食の原因となる冷却水中の溶存酸素濃度を低下させる処置が採用されている。なお、ピアノ線巻層が冷却水に浸されることとなるこの線巻式圧力容器では、組立て後に分解して開放することができないため、一定期間ごとに塗り直しが必要となる防錆塗装は採用できない。
【０００７】
ところが、本発明者が実験（疲労試験）を行ったところ、前述した溶存酸素濃度の低減処置がなされている状態下でも、ピアノ線巻層が冷却水に浸されている構造の線巻式圧力容器の疲労寿命（同一応力振幅に対する破断までの繰返し数）は、ピアノ線巻層が大気雰囲気中にあるようにした場合の１／２程度であるということが判明した。
【０００８】
この要因は、微量とはいえ水中環境下ではピアノ線巻層を構成するピアノ線への水素侵入が避けられず、水素脆化が進むことでピアノ線の寿命低下によるものと考えられる。ピアノ線は、これに張力を加えながら層状に巻き付けられており、線巻式圧力容器の降圧時にも引っ張り応力が作用しているので、水素脆化の影響をより受けやすい。また、要因として、水中環境下ということで、ピアノ線の腐食疲労に起因するピアノ線の寿命低下が考えられる。
【０００９】
そこで、本発明の課題は、内筒、ピアノ線巻層及び冷却水通路を備え、ピアノ線巻層が内筒冷却用の冷却水に浸される構造の線巻式圧力容器において、水素脆化や腐食に起因するピアノ線巻層を形成するピアノ線の寿命低下を抑制することにより、従来に比べて容器全体の大型化や大重量化を招くことなく疲労寿命の延長を図ることができる線巻式圧力容器を提供することにある。
【課題を解決するための手段】
【００１０】
前記の課題を解決するため、本願発明では、次の技術的手段を講じている。
【００１１】
請求項１の発明は、被処理物が収容される円筒状の内筒と、該内筒との間に内筒外周面に沿って内筒軸線方向に延びる複数の冷却水通路が形成された状態で前記円筒の外側に該円筒と同軸心状に設けられ、前記内筒に圧縮応力を付与すべく、張力が付与されたピアノ線を巻き付けてなるピアノ線巻層とを備え、前記内筒の開口が蓋部材で密閉されて、被処理物を高温高圧処理するための線巻式圧力容器において、前記ピアノ線巻層に複数のピアノ線繋ぎ合わせ部が設けられており、該ピアノ線繋ぎ合わせ部において一方のピアノ線の終端と他方のピアノ線の始端とが、水素吸蔵合金からなる継手部を介して溶接にて繋ぎ合わされていることを特徴とする線巻式圧力容器である。
【００１２】
請求項２の発明は、被処理物が収容される円筒状の内筒と、該内筒との間に内筒外周面に沿って内筒軸線方向に延びる複数の冷却水通路が形成された状態で前記円筒の外側に該円筒と同軸心状に設けられ、前記内筒に圧縮応力を付与すべく、張力が付与されたピアノ線を巻き付けてなるピアノ線巻層とを備え、前記内筒の開口が蓋部材で密閉されて、被処理物を高温高圧処理するための線巻式圧力容器において、前記ピアノ線巻層に複数のピアノ線繋ぎ合わせ部が設けられており、該ピアノ線繋ぎ合わせ部において一方のピアノ線の終端と他方のピアノ線の始端とが、当該ピアノ線よりイオン化傾向の大きい金属材料からなる継手部を介して溶接にて繋ぎ合わされていることを特徴とする線巻式圧力容器である。
【００１３】
請求項３の発明は、被処理物が収容される円筒状の内筒と、該内筒との間に内筒外周面に沿って内筒軸線方向に延びる複数の冷却水通路が形成された状態で前記円筒の外側に該円筒と同軸心状に設けられ、前記内筒に圧縮応力を付与すべく、張力が付与されたピアノ線を巻き付けてなるピアノ線巻層とを備え、前記内筒の開口が蓋部材で密閉されて、被処理物を高温高圧処理するための線巻式圧力容器において、前記ピアノ線巻層に複数のピアノ線繋ぎ合わせ部が設けられており、該ピアノ線繋ぎ合わせ部において一方のピアノ線の終端と他方のピアノ線の始端とが、水素吸蔵合金からなる継手部と当該ピアノ線よりイオン化傾向の大きい金属材料からなる継手部とを直列に接続したものを介して溶接にて繋ぎ合わされていることを特徴とする線巻式圧力容器である。
【発明の効果】
【００１４】
請求項１の線巻式圧力容器は、ピアノ線巻層に複数のピアノ線繋ぎ合わせ部が設けられており、該ピアノ線繋ぎ合わせ部において一方のピアノ線の終端と他方のピアノ線の始端とが、水素吸蔵合金からなる継手部を介して溶接にて繋ぎ合わされている。したがって、請求項１の線巻式圧力容器は、水素吸蔵合金からなる継手部が内筒を冷却するための冷却水中に存在する水素成分のターゲット材の役目を果たすので、ピアノ線巻層を形成するピアノ線の水素脆化に起因する寿命低下（強度低下）を抑制することができ、従来に比べて容器全体の大型化や大重量化を招くことなく疲労寿命の延長を図ることができる。
【００１５】
請求項２の線巻式圧力容器は、ピアノ線巻層に複数のピアノ線繋ぎ合わせ部が設けられており、該ピアノ線繋ぎ合わせ部において一方のピアノ線の終端と他方のピアノ線の始端とが、当該ピアノ線よりイオン化傾向の大きい金属材料からなる継手部を介して溶接にて繋ぎ合わされている。したがって、請求項２の線巻式圧力容器は、内筒冷却用の冷却水に浸されているピアノ線の腐食減量を抑制することができ、従来に比べて容器全体の大型化や大重量化を招くことなく疲労寿命の延長を図ることができる。
【００１６】
請求項３の線巻式圧力容器は、ピアノ線巻層に複数のピアノ線繋ぎ合わせ部が設けられており、該ピアノ線繋ぎ合わせ部において一方のピアノ線の終端と他方のピアノ線の始端とが、水素吸蔵合金からなる継手部と当該ピアノ線よりイオン化傾向の大きい金属材料からなる継手部とを直列に接続したものを介して溶接にて繋ぎ合わされている。したがって、請求項３の線巻式圧力容器は、内筒冷却用の冷却水に浸されているピアノ線の水素脆化に起因する寿命低下（強度低下）や、ピアノ線の腐食減量を抑制することができ、従来に比べて容器全体の大型化や大重量化を招くことなく疲労寿命の延長を図ることができる。
【発明を実施するための最良の形態】
【００１７】
以下、本発明をその実施形態に基づいて説明する。図１は本発明の一実施形態による線巻式圧力容器の要部の構成を示す縦断面図、図２は図１に示す線巻式圧力容器の横断面を示す図である。
【００１８】
図１，図２において、１は円筒状の内筒である。内筒１は、高強度の低合金鋼、あるいは高強度のステンレス鋼からなっている。２は内筒冷却用の冷却水通路３を形成するためのスペーサ部材であり、内筒１と同じ材料からなっている。スペーサ部材２は、ほぼ矩形の断面形状で内筒１よりわずかに短い長さを有している。そして、多数本（図示例では１２本）のスペーサ部材２が、内筒１の外周面に内筒円周方向に所定間隔を隔てて、かつ、内筒外周面に沿って内筒軸線方向に延びるように配置されており、これらのスペーサ部材２は後述のピアノ線巻層４によって締め付けられて固定されている。
【００１９】
４はピアノ線巻層である。ピアノ線巻層４は、円筒１の外側に円筒１と同軸心状に設けられおり、内筒１との間に前記スペーサ部材２を挟むようにして内筒１の外側周りに、張力が付与されたピアノ線をスペーサ部材２の長手方向ほぼ全長にわたり、かつ、所定の厚みとなるよう多層に巻き付けて形成されている。ピアノ線巻層４は、内筒１の内部に加わる高圧力に抗するように内筒１に残留圧縮力を与えるものである。なお、ピアノ線は、標準的に、幅６ｍｍ×厚さ１．５ｍｍの矩形断面形状のものが使用される。
【００２０】
そして、隣り合うスペーサ部材２の間ごとに内筒１の外周面とピアノ線巻層４の内周面との間に、内筒軸線方向に延びる冷却水通路３が形成されており、図示例では１２個の冷却水通路３が形成されている。
【００２１】
前記ピアノ線巻層４の外側に、各冷却水通路３からピアノ線巻層側へ滲みだして溜まる冷却水を収容するため、ピアノ線巻層４を囲繞するジャケット５が設けられている。また、円筒１の上端外周面には、各冷却水通路３を通過してきた冷却水が集められる冷却水室６ａを有し、集められた冷却水を冷却水室６ａから外部へ排出する円環状の上部マニホールド６が設けられている。なお、図示省略してあるが、円筒１の下端外周面には、冷却水供給源からの冷却水が供給される冷却水室を有し、該冷却水室から冷却水を各冷却水通路３に分配して供給する円環状の下部マニホールドが設けられている。
【００２２】
なお、内筒１の内部には、被処理物を加熱する加熱装置（ヒーター）が配設され、この加熱装置を取り囲むように逆コップ状（倒立コップ状）の断熱層が配設されるようになっている。
【００２３】
次に、前記ピアノ線巻層４の構造について説明する。
【００２４】
通常、熱間等方圧加圧装置用の圧力容器としては、中型，小型では鍛造による圧力容器、大型になると線巻式圧力容器が採用されている。そして、大型のものに採用される線巻式圧力容器では、ピアノ線巻層の製作に際し、市販のスプール巻き（ボビン巻き）のピアノ線巻回体が１個分では途中までしか形成できず、１０個〜数十個のピアノ線巻回体を使用し、使い終りのピアノ線巻回体のピアノ線の終端と新しいピアノ線巻回体のピアノ線の始端とを繋ぎ合わせながら、１０個〜数十個のピアノ線巻回体を使用してピアノ線巻層が製作される。
【００２５】
この場合、一方のピアノ線の終端と他方のピアノ線の始端との繋ぎ合わせは、突合せ溶接によってなされており、その溶接繋ぎ合わせ部の引張り強度は、当該ピアノ線のそれの１／２〜２／３程度である。また、この溶接繋ぎ合わせ部を巻き付ける際には、当該部分の前後の２〜３巻き分については付与する張力を通常より弱めて巻き付けることにより、疲労サイクルでの平均応力を低める配慮がなされているが、溶接繋ぎ合わせ部では、このような配慮がなされても、疲労強度が母材部分（繋ぎ合わされていないピアノ線部分）より弱くなることは避けられない。この場合、万が一、製作後に溶接繋ぎ合わせ部分が切れたとしても、巻回されているピアノ線間の摩擦力によりその他の箇所での張力が保持されるので、線巻式圧力容器としての静的強度は保持される。
【００２６】
さて、図３は図１におけるピアノ線巻層でのピアノ線繋ぎ合わせ部の説明図である。
【００２７】
本実施形態の線巻式圧力容器では、ピアノ線巻層４に１０箇所から数十箇所のピアノ線繋ぎ合わせ部４ａが設けられており、これらの各ピアノ線繋ぎ合わせ部４ａにおいて、図３に示すように、一方（使い終り側）のピアノ線４１の終端と他方（新しい側）のピアノ線４１’の始端とが、短尺で、水素吸蔵合金からなる継手部４２を介して溶接にて繋ぎ合わされている。水素吸蔵合金からなる継手部４２は、ピアノ線４１，４１’と同一断面形状で同一寸法である。なお、水素吸蔵合金からなる継手部４２は、その強度がピアノ線４１，４１’に比べると低くなるものの、前述したように、線巻式圧力容器としての強度に悪影響を与えることはない。よって、従来に比べて容器全体の大型化や大重量化（重量増加）を招くことなく、従来容器とほぼ同等の強度の容器とすることが可能である。
【００２８】
前記継手部４２の構成材料であるところの水素吸蔵合金としては、Ｔｉ、Ｍｎ、Ｚｒ、Ｎｉなどの遷移元素をベースとした合金系、Ｍｇ合金系、Ｔｉ−Ｆｅ合金系の水素吸蔵合金が挙げられる。より具体的には、インコネル等のＮｉ基合金、ＡＺ３１（ＡＳＴＭ合金記号）等のＭｇ合金などを用いることができる。
【００２９】
このように、水素吸蔵合金からなる継手部４２が内筒１を冷却するための冷却水中に存在する水素成分のターゲット材の役目を果たし、強度が必要なピアノ線４１，４１’への水素侵入を抑制することができる。よって、水素脆化に起因するピアノ線４１，４１’の寿命低下（強度低下）を抑制することができ、従来に比べて容器全体の大型化や大重量化を招くことなく疲労寿命の延長を図ることができる。
【００３０】
図４は本発明に係るピアノ線巻層でのピアノ線繋ぎ合わせ部の他の例を示す説明図である。
【００３１】
この例の線巻式圧力容器では、ピアノ線巻層４に１０箇所から数十箇所のピアノ線繋ぎ合わせ部４ａ’が設けられており、これらの各ピアノ線繋ぎ合わせ部４ａ’において、図４に示すように、使い終り側のピアノ線４１の終端と新しい側のピアノ線４１’の始端とが、短尺で、当該ピアノ線４１，４１’よりイオン化傾向の大きい金属材料からなる継手部４３を介して溶接にて繋ぎ合わされている。前記線材４３は、ピアノ線４１，４１’と同一の線径である。
【００３２】
前記継手部４３の構成材料であるところの、ピアノ線４１，４１’よりイオン化傾向の大きい金属材料としては、Ｋ、Ｃａ、Ｎａ、Ｍｇ、Ａｌ、Ｍｎ、Ｚｎ、Ｃｒが挙げられる。
【００３３】
このように、各ピアノ線繋ぎ合わせ部４ａ’において一方のピアノ線４１の終端と他方のピアノ線４１’の始端とが、当該ピアノ線４１，４１’よりイオン化傾向の大きい金属材料からなる継手部４３を介して溶接にて繋ぎ合わされている。したがって、このようなピアノ線巻層４を備えた線巻式圧力容器は、内筒冷却用の冷却水に浸されているピアノ線４１，４１’の腐食減量を抑制することができ、従来に比べて容器全体の大型化や大重量化を招くことなく疲労寿命の延長を図ることができる。
【００３４】
図５は本発明に係るピアノ線巻層でのピアノ線繋ぎ合わせ部の他の例を示す説明図である。
【００３５】
この例の線巻式圧力容器では、ピアノ線巻層４に１０箇所から数十箇所のピアノ線繋ぎ合わせ部４ａ”が設けられており、これらの各ピアノ線繋ぎ合わせ部４ａ”において、図５に示すように、一方のピアノ線４１の終端と他方のピアノ線４１’の始端とが、水素吸蔵合金からなる継手部４２と当該ピアノ線４１，４１’よりイオン化傾向の大きい金属材料からなる継手部４３とを直列に接続したものを介して溶接にて繋ぎ合わされている。
【００３６】
したがって、このようなピアノ線巻層４を備えた線巻式圧力容器は、内筒冷却用の冷却水に浸されているピアノ線４１，４１’の水素脆化に起因する寿命低下（強度低下）や、ピアノ線４１，４１’の腐食減量を抑制することができ、従来に比べて容器全体の大型化や大重量化を招くことなく疲労寿命の延長を図ることができる。
【図面の簡単な説明】
【００３７】
【図１】本発明の一実施形態による線巻式圧力容器の要部の構成を示す縦断面図である。
【図２】図１に示す線巻式圧力容器の横断面を示す図である。
【図３】図１におけるピアノ線巻層でのピアノ線繋ぎ合わせ部の説明図である。
【図４】本発明に係るピアノ線巻層でのピアノ線繋ぎ合わせ部の他の例を示す説明図である。
【図５】本発明に係るピアノ線巻層でのピアノ線繋ぎ合わせ部の他の例を示す説明図である。
【符号の説明】
【００３８】
１…内筒
２…スペーサ部材
３…冷却水通路
４…ピアノ線巻層
４ａ，４ａ’，４ａ”…ピアノ線繋ぎ合わせ部
４１，４１’… ピアノ線
４２…水素吸蔵合金からなる継手部
４３…ピアノ線よりイオン化傾向の大きい金属材料からなる継手部
５…ジャケット
６…上部マニホールド
６ａ…冷却水室
【図１】
2009257553.tif 000003
【図２】
2009257553.tif 000004
【図３】
2009257553.tif 000005
【図４】
2009257553.tif 000006
【図５】
2009257553.tif 000007